(57)【特許請求の範囲】
【請求項１】
地盤に埋設される上下水道用等の管路内に通信、電力用のケーブルまたは該通信、電力用のケーブルを収納する鞘管を懸架して敷設するケーブル、鞘管の懸架用管であって、管壁内に埋設したインサートに前記ケーブルまたは鞘管を懸架するフックの係合部が係合して該フックが装着されるケーブル、鞘管の懸架用管において、
前記フックは前記ケーブルまたは鞘管を懸架して収納する収納部の開口部に設けられた爪部が該開口部から前記ケーブルまたは鞘管を押し込んで前記収納部に収納する際に該ケーブルまたは鞘管に当接して弾性変形して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とするケーブル、鞘管の懸架用管。
【請求項２】
地盤に埋設される上下水道用等の管路内に通信、電力用のケーブルまたは該通信、電力用のケーブルを収納する鞘管を懸架して敷設するケーブル、鞘管の懸架用管であって、管壁内に埋設したインサートに前記ケーブルまたは鞘管を懸架するフックの係合部が係合して該フックが装着されるケーブル、鞘管の懸架用管において、
前記フックは前記ケーブルまたは鞘管を懸架して収納する収納部の開口部の両側に設けられた一対の爪部が該開口部から前記ケーブルまたは鞘管を押し込んで前記収納部に収納する際に該ケーブルまたは鞘管に当接して回動して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とするケーブル、鞘管の懸架用管。
【請求項３】
前記インサートの外側端部に鍔部を設け、該鍔部を管の外壁面に設けた当接部に当接係止したことを特徴とする請求項１または請求項２に記載のケーブル、鞘管の懸架用管。
【請求項４】
前記管壁の前記インサートを埋設する位置に該管壁の肉厚を大きくするための補強部材を設けたことを特徴とする請求項１〜３のいずれか１項に記載のケーブル、鞘管の懸架用管。
【請求項５】
前記補強部材は前記管壁または該管壁に埋設されたインサートに対して螺合締着可能で、且つ前記フックに設けられた係合部と係合し得るボルト部材により構成したことを特徴とする請求項４に記載のケーブル、鞘管の懸架用管。
【請求項６】
前記フックに設けられた係合部はボルトであり、前記インサートは該ボルトに螺合し得るナットで構成したことを特徴とする請求項１〜５のいずれか１項に記載のケーブル、鞘管の懸架用管。
【請求項７】
前記インサートは前記フックに設けられた係合部を挿入することにより拡張して前記管壁に係止されることを特徴とする請求項１〜６のいずれか１項に記載のケーブル、鞘管の懸架用管。
【請求項８】
地盤に埋設される上下水道用等の管路内に通信、電力用のケーブルまたは該通信、電力用のケーブルを収納する鞘管を懸架する懸架方法において、
管壁内に埋設したインサートに装着されたフックの前記ケーブルまたは鞘管を懸架して収納する収納部の開口部に設けられた爪部に前記ケーブルまたは鞘管を当接させて該ケーブルまたは鞘管を前記収納部に押し込んで該爪部を弾性変形させて退避させた後、該ケーブルまたは鞘管が前記収納部に収納された状態で前記爪部が前記ケーブルまたは鞘管の当接から開放されて復元し、前記ケーブルまたは鞘管を前記収納部に収納した状態で保持させるように構成したことを特徴とするケーブル、鞘管の懸架方法。
【請求項９】
地盤に埋設される上下水道用等の管路内に通信、電力用のケーブルまたは該通信、電力用のケーブルを収納する鞘管を懸架する懸架方法において、
管壁内に埋設したインサートに装着されたフックの前記ケーブルまたは鞘管を懸架して収納する収納部の開口部の両側に設けられた一対の爪部に前記ケーブルまたは鞘管を当接させて該ケーブルまたは鞘管を前記収納部に押し込んで該爪部を回動して退避させた後、該ケーブルまたは鞘管が前記収納部に収納された状態で前記爪部が前記ケーブルまたは鞘管の当接から開放されて復元し、前記ケーブルまたは鞘管を前記収納部に収納した状態で保持させるように構成したことを特徴とするケーブル、鞘管の懸架方法。
【発明の詳細な説明】
【０００１】
【発明の属する技術分野】
本発明は地盤に埋設される上下水道用等の管路内に通信、電力用のケーブルまたは該通信、電力用のケーブルを収納する鞘管を懸架して敷設するケーブル、鞘管の懸架用管及びその懸架用管にケーブル、鞘管を懸架するケーブル、鞘管の懸架方法に関するものである。
【０００２】
【従来の技術】
従来、地盤に埋設される上下水道用等の管路内に光ファイバーケーブルを懸架する場合、図15に示すように予め管壁50にボルト51を埋設しておき、光ファイバーケーブル52をサドル53により受けて該サドル53に設けられた穴にボルト51を挿通してナット54を該ボルト51に螺合締着して懸架していた。
【０００３】
作業員が出入りできない小径管では作業員の代わりに管内を走行作業するロボットが採用されており、本出願人等は特公平3-50483 号公報に開示したように管内に台車を走行させて管内に引き込まれたケーブルを台車前部のアームによって管内壁の所定位置に押し付け、このケーブルを台車後部の固定手段によって管内壁に固定することで作業員が出入りできない小径管内のケーブルの敷設作業を自動的に行う技術を既に提案している。
【０００４】
ロボットにより取り付けるフックの一例としては、図16（ａ）に示すようにロボットがドリルにより管壁50に下穴50ａを開けた後、光ファイバーケーブル52をＪ字型のアンカー61により受けて該アンカー61の本体に対してスライド可能なプランジャーピン62を下穴50ａの底面に突き当ててアンカー61本体を下穴50ａ内に挿入する（図16（ｂ）参照）。
【０００５】
プランジャーピン62とアンカー61本体との間には接着剤63が収納されており、プランジャーピン62がスライドしてアンカー61本体に収容される際に接着剤63がプランジャーピン62に押されて該プランジャーピン62に沿って溢れ出し、アンカー61本体の外周部と下穴50ａの壁面との間に浸透して該アンカー61と管壁50とを接着固定する（図16（ｃ）参照）。
【０００６】
【発明が解決しようとする課題】
しかしながら、前述の従来例において、図15に示したようにサドル53を用いて光ファイバーケーブル52を支持し、管壁50に予め埋設されたボルト51にナット54を螺合締着して懸架する場合、サドル53とナット54とが別体であるためサドル53を支持した状態でナット54をボルト51に螺合締着する必要があるため取付作業性が悪く、作業員が入れる大径管では取付作業が出来るが小径管ではロボットによるナット54の螺合作業が困難となるため複雑な機構をロボットに装備しなければならずコストアップの原因となる上、取付作業に時間がかかるという問題がある。
【０００７】
また、図16に示したようにプランジャーピン62をスライド可能に内蔵したアンカー61を用いて光ファイバーケーブル52を支持する場合には小径管でもロボットにより作業が出来るもののアンカー61自体の構成が比較的複雑であり、該アンカー61の定着部の定着をより確実にしなければならないという問題がある。
【０００８】
本発明は前記課題を解決するものであり、その目的とするところは、大径管で作業員が取り付ける場合でもケーブルや鞘管をフックの開口部から押し込むだけの作業でケーブルや鞘管をフックに容易に懸架することが出来、小径管でもロボットによりケーブルや鞘管をフックの開口部から押し込むだけの動作でケーブルや鞘管をフックに容易に懸架することが出来、構造が簡単で部品コストも低減出来るケーブル、鞘管の懸架用管及びその懸架用管にケーブル、鞘管を懸架するケーブル、鞘管の懸架方法を提供せんとするものである。
【０００９】
【課題を解決するための手段】
前記目的を達成するための本発明に係るケーブル、鞘管の懸架用管は、地盤に埋設される上下水道用等の管路内に通信、電力用のケーブルまたは該通信、電力用のケーブルを収納する鞘管を懸架して敷設するケーブル、鞘管の懸架用管であって、管壁内に埋設したインサートに前記ケーブルまたは鞘管を懸架するフックの係合部が係合して該フックが装着されるケーブル、鞘管の懸架用管において、前記フックは前記ケーブルまたは鞘管を懸架して収納する収納部の開口部に設けられた爪部が該開口部から前記ケーブルまたは鞘管を押し込んで前記収納部に収納する際に該ケーブルまたは鞘管に当接して弾性変形して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とする。
【００１０】
上記構成によれば、フックのケーブルまたは鞘管を懸架して収納する収納部の開口部に設けられた爪部にケーブルまたは鞘管を当接させて押し込むことで、該爪部が弾性変形して退避し、該ケーブルまたは鞘管をフックの収納部に収納することが出来る。そして、該ケーブルまたは鞘管が該収納部に収納された状態で爪部がケーブルまたは鞘管の当接から開放されて復元し、ケーブルまたは鞘管を収納部に収納した状態で保持することが出来る。
【００１１】
また、本発明に係るケーブル、鞘管の懸架用管の他の構成は、地盤に埋設される上下水道用等の管路内に通信、電力用のケーブルまたは該通信、電力用のケーブルを収納する鞘管を懸架して敷設するケーブル、鞘管の懸架用管であって、管壁内に埋設したインサートに前記ケーブルまたは鞘管を懸架するフックの係合部が係合して該フックが装着されるケーブル、鞘管の懸架用管において、前記フックは前記ケーブルまたは鞘管を懸架して収納する収納部の開口部の両側に設けられた一対の爪部が該開口部から前記ケーブルまたは鞘管を押し込んで前記収納部に収納する際に該ケーブルまたは鞘管に当接して回動して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とする。
【００１２】
上記構成によれば、フックのケーブルまたは鞘管を懸架して収納する収納部の開口部の両側に設けられた一対の爪部にケーブルまたは鞘管を当接させて押し込むことで該爪部が回動して退避し、該ケーブルまたは鞘管をフックの収納部に収納することが出来る。そして、該ケーブルまたは鞘管が該収納部に収納された状態で爪部がケーブルまたは鞘管の当接から開放されて復元し、ケーブルまたは鞘管を収納部に収納した状態で保持することが出来る。
【００１３】
また、前記インサートの外側端部に鍔部を設け、該鍔部を管の外壁面に設けた当接部に当接係止した場合には、インサートが管壁に対して強固に支持され、ケーブル或いは鞘管の重量が大きい場合でも安定して支持出来る。
【００１４】
また、前記管壁の前記インサートを埋設する位置に該管壁の肉厚を大きくするための補強部材を設けた場合には、管壁が薄い場合でもインサートが管壁に対して強固に支持され、ケーブル或いは鞘管の重量が大きい場合でも安定して支持出来る。
【００１５】
また、前記補強部材を前記管壁または該管壁に埋設されたインサートに対して螺合締着可能で、且つ前記フックに設けられた係合部と係合し得るボルト部材により構成した場合には、補強部材となるボルト部材の取付が容易に出来る。
【００１６】
また、前記フックに設けられた係合部がボルトで、且つ前記インサートが該ボルトに螺合し得るナットで構成した場合には、ボルトとナットの螺合締着によりフックをインサートに対して容易に取り付けることが出来る。
【００１７】
また、前記インサートが前記フックに設けられた係合部を挿入することにより拡張して前記管壁に係止される場合には、管壁に対するインサートの係止がフックの挿入動作によりワンタッチで出来るので取付作業性が良い。
【００１８】
また、本発明に係るケーブル、鞘管の懸架方法は、地盤に埋設される上下水道用等の管路内に通信、電力用のケーブルまたは該通信、電力用のケーブルを収納する鞘管を懸架する懸架方法において、管壁内に埋設したインサートに装着されたフックの前記ケーブルまたは鞘管を懸架して収納する収納部の開口部に設けられた爪部に前記ケーブルまたは鞘管を当接させて該ケーブルまたは鞘管を前記収納部に押し込んで該爪部を弾性変形させて退避させた後、該ケーブルまたは鞘管が前記収納部に収納された状態で前記爪部が前記ケーブルまたは鞘管の当接から開放されて復元し、前記ケーブルまたは鞘管を前記収納部に収納した状態で保持させるように構成したことを特徴とする。
【００１９】
また、本発明に係るケーブル、鞘管の懸架方法の他の構成は、地盤に埋設される上下水道用等の管路内に通信、電力用のケーブルまたは該通信、電力用のケーブルを収納する鞘管を懸架する懸架方法において、管壁内に埋設したインサートに装着されたフックの前記ケーブルまたは鞘管を懸架して収納する収納部の開口部の両側に設けられた一対の爪部に前記ケーブルまたは鞘管を当接させて該ケーブルまたは鞘管を前記収納部に押し込んで該爪部を回動して退避させた後、該ケーブルまたは鞘管が前記収納部に収納された状態で前記爪部が前記ケーブルまたは鞘管の当接から開放されて復元し、前記ケーブルまたは鞘管を前記収納部に収納した状態で保持させるように構成したことを特徴とする。
【００２０】
上記各懸架方法によれば、大径管で作業員が取り付ける場合でもケーブルや鞘管をフックの開口部から押し込むだけのワンタッチ作業でケーブルや鞘管をフックに容易に懸架することが出来、小径管でもロボットによりケーブルや鞘管をフックの開口部から押し込むだけのワンタッチ動作でケーブルや鞘管をフックに容易に懸架することが出来る。
【００２１】
【発明の実施の形態】
図により本発明に係るケーブル、鞘管の懸架用管及びその懸架用管にケーブル、鞘管を懸架するケーブル、鞘管の懸架方法の一実施形態を具体的に説明する。図１（ａ），（ｂ）は本発明に係るケーブル、鞘管の懸架用管の第１実施形態の構成を示す図、図２（ａ）〜（ｃ）は第１実施形態の要部の構成を示す図、図３は第１実施形態のフックの構成を示す斜視図、図４（ａ）〜（ｄ）は第１実施形態におけるケーブル、鞘管の懸架方法を示す図、図５（ａ）〜（ｃ）は本発明に係るケーブル、鞘管の懸架用管の第２実施形態の構成を示す図、図６（ａ），（ｂ）は本発明に係るケーブル、鞘管の懸架用管の第３実施形態の構成を示す図、図７（ａ），（ｂ）は本発明に係るケーブル、鞘管の懸架用管の第４実施形態の構成を示す図、図８（ａ），（ｂ）は本発明に係るケーブル、鞘管の懸架用管の第５実施形態の構成を示す図、図９（ａ），（ｂ）は本発明に係るケーブル、鞘管の懸架用管の第６実施形態の構成を示す図、図10（ａ），（ｂ）は本発明に係るケーブル、鞘管の懸架用管の第７実施形態の構成を示す図、図11（ａ）〜（ｃ）は本発明に係るケーブル、鞘管の懸架用管の第８実施形態の構成を示す図、図12（ａ）〜（ｃ）は第８実施形態におけるケーブル、鞘管の懸架方法を示す図、図13（ａ）〜（ｃ）は本発明に係るケーブル、鞘管の懸架用管の第９実施形態の構成を示す図、図14（ａ）〜（ｃ）は第９実施形態におけるケーブル、鞘管の懸架方法を示す図である。
【００２２】
先ず、図１〜図３を用いて本発明に係るケーブル、鞘管の懸架用管の第１実施形態の構成について説明する。図１（ａ），（ｂ）において、１はヒューム管、硬質塩化ビニル管、ＦＲＰ（繊維補強パイプ）、鋼管等で構成され、地盤に埋設されて上下水道用等の管路を構成するケーブル、鞘管の懸架用管であり、以下に示す各図では丸管で構成された場合の一例を示すが、他の形状として断面楕円形状管や長円形状管、或いは角管で構成されるケーブル、鞘管の懸架用管に適用することも可能である。
【００２３】
管１内には通信用の光ファイバーケーブルや電力用のケーブル或いは該通信、電力用のケーブルを収納する鞘管４を詳しくは後述するフック２によりワンタッチで懸架して敷設し得るようになっている。
【００２４】
ケーブルまたは鞘管４を懸架するフック２の一端部には図２（ｃ）に示すように係合部２ａが設けられており、一方、管１の管壁１ａ内にはフック２に設けられた係合部２ａと係合し得るインサート３が埋設されている。
【００２５】
係合部２ａとインサート３との係合手段は種々のものが適用出来るが、例えば、フック２の係合部２ａをボルトで、且つインサート３を該ボルトを螺合締着可能なナットで構成することが出来る。
【００２６】
図２（ａ）〜（ｃ）に示すように、管壁１ａの厚さに対応する長さを有するインサート３の両側部に夫々ネジ溝３ａ，３ｂが形成されており、管壁１ａの内部側に配置されたネジ溝３ａにフック２の係合部２ａのボルトが螺合締着されるようになっている。
【００２７】
また、管１がコンクリート管で構成された場合には、インサート３のネジ溝３ｂに管１の製造時に型枠側に設けられたボルトを螺合締着して管１の型枠とインサート３とを固定し、管１の成形時にインサート３が一体的に管壁１ａ内部に埋設されるようになっている。
【００２８】
インサート３の外周面には軸方向に配置されたリブと軸と直交する方向に配置されたフシとからなる突起３ｃが形成されており、該突起３ｃが管壁１ａに食い込むことによりインサート３が管壁１ａに対して強固に係止されて固定されている。
【００２９】
また、管１が鋼管等の管壁にネジ溝を形成出来る場合には、管壁１ａに該管壁１ａを貫通するネジ溝を形成すると共にインサート３の外周部に前記管壁１ａに設けたネジ溝に螺合し得るネジ山を形成することでも良い。
【００３０】
本実施形態では、前記フック２はポリプロピレン樹脂等の合成樹脂で構成された弾性部材からなり、図３に示すように、フック２の係合部２ａと反対側の端部には通信、電力用のケーブルまたは該通信、電力用のケーブルを収納する鞘管４を懸架して収納するためのＵ字形状の収納部２ｂが設けられ、該収納部２ｂの開口部の両側端部には該収納部２ｂの内部側に向かって配置された一対の爪部２ｃが形成されている。
【００３１】
爪部２ｃと収納部２ｂとの間で該収納部２ｂの内部側には溝部２ｄが形成されており、フック２の開口部からケーブルまたは鞘管４を押し込んで収納部２ｂに収納する際にケーブル、鞘管４が爪部２ｃに当接して該爪部２ｃを収納部２ｂの内部側に押した際に前記溝部２ｄの作用により爪部２ｃが弾性変形して収納部２ｂの内部側に退避し易くなっている。
【００３２】
また、ケーブルまたは鞘管４がフック２の収納部２ｂに収納された状態で爪部２ｃがケーブルまたは鞘管４の当接から開放されて復元することで、ケーブルまたは鞘管４を収納部２ｂに収納した状態で保持することが出来るようになっている。
【００３３】
上記構成のケーブル、鞘管の懸架用管１にケーブル、鞘管４を懸架する懸架方法について図４を用いて詳細に説明する。先ず、図４（ａ）に示すように、管壁１ａ内に埋設したインサート３に装着されたフック２の収納部２ｂの開口部両側に設けられた一対の爪部２ｃの略中央開口部にケーブルまたは鞘管４を当接させる。
【００３４】
その後、ケーブルまたは鞘管４を収納部２ｂの内部側に押し込んで爪部２ｃを弾性変形させて該収納部２ｂの内部側に退避させた後（図４（ｂ），（ｃ）参照）、該ケーブルまたは鞘管４を収納部２ｂに収納する。
【００３５】
そして、爪部２ｃはケーブルまたは鞘管４が収納部２ｂに収納された状態でケーブルまたは鞘管４の当接から開放されて図４（ｄ）に示すように復元し、ケーブルまたは鞘管４を収納部２ｂに収納した状態で保持する。
【００３６】
上記構成において、管１内に通信、電力用のケーブルまたは該通信、電力用のケーブルを収納する鞘管４を懸架して敷設する場合には、予め工場等で管１を成形する際にインサート３が管壁１ａに埋設された管１を各インサート３の位置が略連続的な配置位置（例えば、管１の天井部や側面部或いは底部等の所望する位置）になるように連接して敷設した後、フック２をインサート３に螺合締着して固定し、該フック２に通信、電力用のケーブルまたは該通信、電力用のケーブルを収納する鞘管４を上述の懸架方法によりワンタッチで押し込んで懸架して敷設する。
【００３７】
管１が大径管である場合には作業員が管１内に入ってフック２をインサート３に螺合締着して前記ケーブルや鞘管４を懸架することも出来るが、管１が小径管である場合には作業員の代わりに管１内を走行作業するロボットによりフック２をインサート３に螺合締着してケーブルや鞘管４をフック２にワンタッチで押し込んで懸架することが容易に出来る。
【００３８】
また、鞘管をフック２に懸架した状態でケーブルを空気送り等で該鞘管に挿通させることが容易に出来るものである。
【００３９】
上記構成では、フック２の爪部２ｃが弾性変形してケーブルや鞘管４を懸架することが出来るのでインサート３は管１のどの位置に埋設しても良く、例えば、管１の天井部や側面部或いは底部の所望する位置の管壁１ａにインサート３を埋設し、フック２の係合部２ａをインサート３に係合させて装着し、該フック２にケーブル、鞘管４を押し込んで懸架することが出来る。
【００４０】
上記構成によれば、ケーブルまたは鞘管４を懸架するフック２に設けられた係合部２ａと係合し得るインサート３を管壁１ａ内に埋設したことで、管壁１ａ内に埋設したインサート３にフック２の係合部２ａを係合させるだけで、該フック２を管壁１ａに容易に取り付けることが出来る。
【００４１】
また、フック２に設けられた係合部２ａがボルトで、且つインサート３が該ボルトに螺合し得るナットで構成した場合には、ボルトとナットの螺合締着によりフック２をインサート３に対して容易に取り付けることが出来る。
【００４２】
また、フック２をポリプロピレン樹脂等の合成樹脂またはステンレス等の金属で構成された弾性部材で構成したことにより該フック２のケーブルまたは鞘管４を懸架して収納する収納部２ｂの開口部に設けられた爪部２ｃにケーブルまたは鞘管４を当接させて押し込むことで、該爪部２ｃが弾性変形して退避し、該ケーブルまたは鞘管４をフック２の収納部２ｂに収納することが出来る。そして、該ケーブルまたは鞘管４が該収納部２ｂに収納された状態で爪部２ｃがケーブルまたは鞘管４の当接から開放されて復元し、ケーブルまたは鞘管４を収納部２ｂに収納した状態で保持することが出来る。
【００４３】
従って、管１が大径管で作業員が取り付ける場合でもケーブルや鞘管４をフック２の開口部から押し込むだけのワンタッチ作業でケーブルや鞘管４をフック２に懸架することが出来、管１が小径管でもロボットによりケーブルや鞘管４をフック２の開口部から押し込むだけのワンタッチ動作でケーブルや鞘管４をフック２に懸架することが出来る。
【００４４】
尚、前記フック２の収納部２ｂや爪部２ｃの形状は種々の形状が考えられ、本実施形態に限定されるものではない。
【００４５】
また、本実施形態では収納部２ｂの開口部の両側端部に一対の爪部２ｃを形成した場合について説明したが、他の構成として、収納部２ｂの開口部の一端部に一つの爪部を形成し、この爪部にケーブルまたは鞘管４を当接させて押し込むことで、該爪部が弾性変形して退避し、該ケーブルまたは鞘管４をフック２の収納部２ｂに収納することが出来、該ケーブルまたは鞘管４が該収納部２ｂに収納された状態で前記爪部がケーブルまたは鞘管４の当接から開放されて復元し、ケーブルまたは鞘管４を収納部２ｂに収納した状態で保持することが出来るように構成しても良い。
【００４６】
次に図５を用いて本発明に係るケーブル、鞘管の懸架用管の第２実施形態の構成について説明する。尚、前記第１実施形態と同様に構成したものは同一の符号を付して説明を省略する。
【００４７】
本実施形態では、図５（ａ）〜（ｃ）に示すようにインサート３の外側端部に鍔部３ｄを設け、該鍔部３ｄを管１の外壁面１ｃに設けた凹部当接部１ｄに当接係止したものである。上記構成によれば、インサート３が管壁１ａに対して更に強固に支持され、ケーブル或いは鞘管の重量が大きい場合でも安定して支持出来る。他の構成は前記第１実施形態と同様に構成され、同様な効果を得ることが出来る。
【００４８】
次に図６を用いて本発明に係るケーブル、鞘管の懸架用管の第３実施形態の構成について説明する。尚、前記第１実施形態と同様に構成したものは同一の符号を付して説明を省略する。
【００４９】
本実施形態では、図６（ａ），（ｂ）に示すように、管１の管壁１ａの肉厚が薄い場合に管壁１ａのインサート３を埋設する位置に該管壁１ａの肉厚を大きくするための補強部材５を設けたものである。
【００５０】
本実施形態の補強部材５は管１がヒューム管である場合にはモルタル等を適量接着補強して構成され、管１が硬質塩化ビニル管等の樹脂系の管である場合にはエポキシ樹脂等の接着剤で硬質塩化ビニル材等からなる補強部材５を接着して接合し、管１が鋼管である場合には溶接等により鋼材からなる補強部材５を固着し、補強部材５と管壁１ａにネジ溝を形成すると共にインサート３の外周部に前記ネジ溝に螺合し得るネジ山を形成しておく。
【００５１】
上記構成によれば、管１の管壁１ａが薄い場合でもインサート３が管壁１ａに対して強固に支持され、ケーブル或いは鞘管４の重量が大きい場合でも安定して支持出来る。他の構成は前記第１実施形態と同様に構成され、同様な効果を得ることが出来る。
【００５２】
次に図７を用いて本発明に係るケーブル、鞘管の懸架用管の第４実施形態の構成について説明する。尚、前記第１、第３実施形態と同様に構成したものは同一の符号を付して説明を省略する。
【００５３】
本実施形態では、図７（ａ），（ｂ）に示すように、管１の管壁１ａの肉厚を大きくするための補強部材とフック２に設けられた係合部２ａと係合し得るインサートとをボルト部材６が兼ねており、該ボルト部材６を管１の管壁１ａに埋設された外側インサート７に対して該管１の外側から螺合して着脱可能に設けたものである。
【００５４】
外側インサート７の内部には該外側インサート７を貫通するネジ溝７ａが形成されており、管１がヒューム管で構成された場合には、該管１の製造時に型枠側に設けられたボルトを該ネジ溝７ａに螺合締着して管１の型枠と外側インサート７とを固定し、管１の成形時に外側インサート７が一体的に管壁１ａ内部に埋設されるようになっている。
【００５５】
外側インサート７の外周面には軸方向に配置されたリブと軸と直交する方向に配置されたフシとからなる突起７ｂが形成されており、該突起７ｂが管壁１ａに食い込むことにより外側インサート７が管壁１ａに対して強固に係止されて固定されている。
【００５６】
ボルト部材６の一端部には外側インサート７のネジ溝７ａに螺合し得るボルト部からなるインサート３が設けられており、該インサート３の内部に形成されたネジ溝３ａにフック２のボルトからなる係合部２ａが螺合締着して固定されるようになっている。
【００５７】
上記構成において、フック２を管１の管壁１ａに取り付ける場合には、先ず、工場や現場等でボルト部材６のインサート３となるボルト部の外周にゴムパッキン８及びワッシャー９を挿通して予め管１の管壁１ａに埋設された外側インサート７のネジ溝７ａに管１の外側から該ボルト部を螺合締着して固定した後、管１を連接配置してインサート３のネジ溝３ａにフック２のボルトからなる係合部２ａを螺合締着して固定する。
【００５８】
上記構成により、補強部材を兼ねるボルト部材６を外側インサート７に螺合締着する作業だけで管１の管壁１ａの肉厚を大きくして補強することが出来、前記第３実施形態と比較して補強部材の取付け作業が容易である。他の構成は前記第１、第３実施形態と同様に構成され、同様な効果を得ることが出来る。
【００５９】
次に図８を用いて本発明に係るケーブル、鞘管の懸架用管の第５実施形態の構成について説明する。尚、前記第１、第４実施形態と同様に構成したものは同一の符号を付して説明を省略する。
【００６０】
本実施形態では、管１が硬質塩化ビニル管や鋼管の場合で、前記第４実施形態の外側インサート７を省略し、管１の管壁１ａ自体に該管壁１ａを貫通するネジ溝１ｂを形成したものである。
【００６１】
上記構成において、フック２を管１の管壁１ａに取り付ける場合には、先ず、工場や現場等でボルト部材６のインサート３となるボルト部の外周にゴムパッキン８及びワッシャー９を挿通して予め管１の管壁１ａに形成されたネジ溝１ｂに管１の外側から該ボルト部を螺合締着して固定した後、管１を連接配置してインサート３のネジ溝３ａにフック２のボルトからなる係合部２ａを螺合締着して固定する。
【００６２】
上記構成により、補強部材を兼ねるボルト部材６を管壁１ａのネジ溝１ｂに螺合締着する作業だけで管１の管壁１ａの肉厚を大きくして補強することが出来、前記第４実施形態と比較して外側インサート７を省略して部品点数を削減することが出来るため部品コスト及び組み付け工数を低減することが出来、コストダウンを図ることが出来る。他の構成は前記第１、第４実施形態と同様に構成され、同様な効果を得ることが出来る。
【００６３】
次に図９を用いて本発明に係るケーブル、鞘管の懸架用管の第６実施形態の構成について説明する。尚、前記第１実施形態と同様に構成したものは同一の符号を付して説明を省略する。
【００６４】
本実施形態では、図９（ａ），（ｂ）に示すように、管１の管壁１ａに貫通穴１ｅが形成されており、該貫通穴１ｅにインサート３が挿入されて埋設されている。フック２の係合部２ａの外周面は平坦面で構成されており、該係合部２ａをインサート３の内部に設けられた貫通穴３ｅに挿通して嵌入した際にインサート３が拡張して管壁１ａに係止されるようになっている。
【００６５】
前記インサート３は管壁１ａの内壁面１ｆ側の端部が円筒状に一体的に構成され、外壁面１ｃ側の端部が複数の片３ｆに分割して構成されており、分割された複数の片３ｆの内面には管１の径方向外側に向かって高くなるように形成されたテーパー面３ｇが形成されている。
【００６６】
また、貫通穴１ｅの管１の径方向外側の一部でインサート３の複数の片３ｆに対応する位置には管１の径方向外側に向かって拡張されたテーパー面１ｇが形成されている。
【００６７】
上記構成において、フック２を管１の管壁１ａに取り付ける場合には、先ず、工場や現場等で予め管１の管壁１ａに設けた貫通穴１ｅに管１の外側からインサート３を挿入して嵌入し、フック２の係合部２ａをインサート３の貫通穴３ｅに挿入して嵌入する。
【００６８】
この時、フック２の係合部２ａが片３ｆのテーパー面３ｇに当接摺動して該片３ｆが拡張し、片３ｆの裏面が貫通穴１ｅのテーパー面１ｇに圧接して係止され、固定される。
【００６９】
上記構成によれば、フック２をインサート３に対して螺合させて装着する必要がなく、フック２をインサート３内に単に押し込むだけでワンタッチで固定出来るので取付作業性が向上する。他の構成は前記第１実施形態と同様に構成され、同様の効果を得ることが出来る。
【００７０】
次に図10を用いて本発明に係るケーブル、鞘管の懸架用管の第７実施形態の構成について説明する。尚、前記第１、第６実施形態と同様に構成したものは同一の符号を付して説明を省略する。
【００７１】
本実施形態では前記第６実施形態と同様に管１の管壁１ａに貫通穴１ｅが形成されており、該貫通穴１ｅの管１の外壁面１ｃには凹部当接部１ｄが形成されている。また、前記第６実施形態と同様にインサート３の分割された複数の片３ｆの外側端部で前記管１の外壁面１ｃに形成した凹部当接部１ｄに対応する位置には夫々鍔部３ｈが設けられている。
【００７２】
上記構成において、フック２を管１の管壁１ａに取り付ける場合には、先ず、工場や現場等で予め管１の管壁１ａに設けた貫通穴１ｅに管１の外側からインサート３を該インサート３の片３ｆに設けた鍔部３ｈが凹部当接部１ｄに当接して係止されるまで挿入して嵌入し、フック２の係合部２ａをインサート３の貫通穴３ｅに挿入して嵌入する。
【００７３】
この時、フック２の係合部２ａが片３ｆのテーパー面３ｇに当接摺動して該片３ｆが拡張し、該片３ｆの裏面が貫通穴１ｅの側壁に圧接すると共に鍔部３ｈが凹部当接部１ｄの側壁に圧接して係止され、固定される。
【００７４】
上記構成によれば、前述と同様にフック２をインサート３内に単に押し込むだけでワンタッチで固定できるので取付作業性が向上すると共に該インサート３を管１の貫通穴１ｅに挿入する際にインサート３の片３ｆに設けた鍔部３ｈが管１の外壁面１ｃに設けた凹部当接部１ｄに当接係合されて該インサート３の挿入位置が規制され、インサート３を安定した位置に挿入することが出来る。
【００７５】
他の構成は前記第１、第６実施形態と同様に構成され、同様の効果を得ることが出来る。
【００７６】
次に図11を用いて本発明に係るケーブル、鞘管の懸架用管の第８実施形態の構成について説明し、併せて第８実施形態におけるケーブル、鞘管の懸架方法について図12を用いて説明する。尚、前記第１実施形態と同様に構成したものは同一の符号を付して説明を省略する。
【００７７】
前記第１実施形態ではフック２の爪部２ｃがケーブル、鞘管４の懸架時に弾性変形して退避し、収納部２ｂに収納された後復元するように構成した場合について説明したが、本実施形態では、図11及び図12に示すように、フック２の爪部２ｃがケーブル、鞘管４の懸架時に回動軸２ｅを中心に回動して退避し、収納部２ｂに収納された後復元するように構成したものである。
【００７８】
図11（ａ）〜（ｃ）において、インサート３は管１の略天井部に埋設されており、該インサート３に対して係合部２ａが係合して装着されるフック２はケーブルまたは鞘管４を懸架して収納するＵ字形状の収納部２ｂの開口部の両側に一対の爪部２ｃが回動軸２ｅを中心に夫々独立して回動可能に設けられている。
【００７９】
一対の爪部２ｃは夫々の爪部２ｃの一端部に設けられた当接面２ｆが収納部２ｂの下部に設けられた当接面２ｇに当接した状態で自重により図11（ｂ）に示す状態で保持されている。
【００８０】
そして、図12（ａ）に示すように、両側に一対の爪部２ｃが設けられた収納部２ｂの開口部の略中央部からケーブルまたは鞘管４を押し上げることで該ケーブルまたは鞘管４が一対の爪部２ｃの下端部に当接して該爪部２ｃの自重に抗して爪部２ｃを回動軸２ｅを中心に図12（ｂ）の矢印ａ，ｂ方向に夫々押し回し、一対の爪部２ｃを収納部２ｂの内部側に退避させる（図12（ｂ）参照）。
【００８１】
その後、ケーブルまたは鞘管４が収納部２ｂに収納された状態で一対の爪部２ｃがケーブルまたは鞘管４の当接から開放されると、該爪部２ｃはその自重により回動軸２ｅを中心に図12（ｂ）の矢印ａ，ｂと反対方向に夫々回動して爪部２ｃの一端部に設けられた当接面２ｆが収納部２ｂの下部に設けられた当接面２ｇに当接した状態に復元し、ケーブルまたは鞘管４が収納部２ｂに収納された状態で保持される（図12（ｃ）参照）。
【００８２】
尚、図中、収納部２ｂの下部に当接面２ｇに連続して設けられた傾斜当接面２ｈは爪部２ｃの上端部が該傾斜当接面２ｈに当接することで該爪部２ｃが回動軸２ｅを中心に図12（ｂ）の矢印ａ，ｂ方向に回動した際の最大回動角度を規制するためのものであり、これにより爪部２ｃが自重により回動軸２ｅを中心に図12（ｂ）の矢印ａ，ｂと反対方向に夫々回動して爪部２ｃの一端部に設けられた当接面２ｆが収納部２ｂの下部に設けられた当接面２ｇに当接した状態に確実に復元出来るようになっている。
【００８３】
また、前記図５〜図10に示した第２〜第７実施形態のインサート３の取付構造は本実施形態のフック２にも同様に適用可能である。他の構成は前記第１実施形態と同様に構成され、同様の効果を得ることが出来る。
【００８４】
次に図13を用いて本発明に係るケーブル、鞘管の懸架用管の第９実施形態の構成について説明し、併せて第９実施形態におけるケーブル、鞘管の懸架方法について図14を用いて説明する。尚、前記第１、第８実施形態と同様に構成したものは同一の符号を付して説明を省略する。
【００８５】
前記第８実施形態ではインサート３を管１の略天井部に埋設し、フック２の一対の爪部２ｃが自重により復元するように構成したが、本実施形態ではインサート３を天井部或いはそれ以外の側面部や底部に埋設した場合でも爪部２ｃが復元し得るように構成したものである。
【００８６】
図13（ａ）〜（ｃ）において、インサート３は管１の側面部に埋設されており、該インサート３に対して係合部２ａが係合して装着されるフック２はケーブルまたは鞘管４を懸架して収納する略Ｇ字形状の収納部２ｂの開口部に爪部２ｃが回動軸２ｅを中心に回動可能に設けられている。
【００８７】
収納部２ｂ及び爪部２ｃの所定位置には回動軸２ｅに嵌入支持されたねじりコイルバネ10の端部を夫々係止する係止片２ｉ，２ｊが設けられており、該ねじりコイルバネ10の付勢力により爪部２ｃは図13（ｂ）の矢印ｃ方向に常時付勢されている。そして、収納部２ｂに設けられた係止片２ｉに爪部２ｃの収納部２ｂ側の端面２ｋが当接して図13（ｂ）に示す状態で保持されている。
【００８８】
そして、図14（ａ）に示すように、爪部２ｃが設けられた収納部２ｂの開口部からケーブルまたは鞘管４を押し込むことで該ケーブルまたは鞘管４が爪部２ｃの端部に当接してねじりコイルバネ10の付勢力に抗して爪部２ｃを回動軸２ｅを中心に図14（ｂ）の矢印ｄ方向に押し回し、爪部２ｃを収納部２ｂの内部側に退避させる（図14（ｂ）参照）。
【００８９】
その後、ケーブルまたは鞘管４が収納部２ｂに収納された状態で爪部２ｃがケーブルまたは鞘管４の当接から開放されると、該爪部２ｃは再びねじりコイルバネ10の付勢力により回動軸２ｅを中心に図12（ｃ）の矢印ｃ方向に回動して爪部２ｃの収納部２ｂ側の端面２ｋが該収納部２ｂの係止片２ｉに当接して係止されて復元し、ケーブルまたは鞘管４が収納部２ｂに収納された状態で保持される。
【００９０】
尚、図13、図14ではインサート３が管１の側面部に埋設された場合について説明したが、インサート３を管１の天井部或いは底部に埋設して該インサート３にフック２を装着した場合でも爪部２ｃがねじりコイルバネ10の作用により復元することが出来、ケーブルまたは鞘管４を収納部２ｂに収納された状態で確実に保持することが出来るものである。
【００９１】
また、前記図５〜図10に示した第２〜第７実施形態のインサート３の取付構造は本実施形態のフック２にも同様に適用可能である。他の構成は前記第１、第８実施形態と同様に構成され、同様の効果を得ることが出来る。
【００９２】
尚、図示しないが、前記第８実施形態のフック２の一対の爪部２ｃに本実施形態のようなねじりコイルバネ10を夫々設けて該ねじりコイルバネ10の付勢力により一対の爪部２ｃが復元するように構成することでインサート３を管１の天井部、側面部或いは底部の所望の位置に埋設して該インサート３にフック２を装着した場合でも一対の爪部２ｃがねじりコイルバネ10の作用により復元することが出来、ケーブルまたは鞘管４を収納部２ｂに収納された状態で確実に保持することが出来るものである。
【００９３】
また、上記実施形態ではコイルバネ10の付勢力により爪部２ｃが復元するように構成したが、図14に示したようにフック２を管１の側面部に取り付けた場合にはコイルバネ10を省略して爪部２ｃの自重により復元するように構成することも出来る。
【００９４】
【発明の効果】
本発明は、上述の如き構成と作用とを有するので、大径管で作業員が取り付ける場合でもケーブルや鞘管をフックの開口部から押し込むだけの作業でケーブルや鞘管をフックに容易に懸架することが出来、小径管でもロボットによりケーブルや鞘管をフックの開口部から押し込むだけの動作でケーブルや鞘管をフックに容易に懸架することが出来、構造が簡単で部品コストも低減出来るケーブル、鞘管の懸架用管及びその懸架用管にケーブル、鞘管を懸架するケーブル、鞘管の懸架方法を提供することが出来る。
【図面の簡単な説明】
【図１】（ａ），（ｂ）は本発明に係るケーブル、鞘管の懸架用管の第１実施形態の構成を示す図である。
【図２】（ａ）〜（ｃ）は第１実施形態の要部の構成を示す図である。
【図３】第１実施形態のフックの構成を示す斜視図である。
【図４】（ａ）〜（ｄ）は第１実施形態におけるケーブル、鞘管の懸架方法を示す図である。
【図５】（ａ）〜（ｃ）は本発明に係るケーブル、鞘管の懸架用管の第２実施形態の構成を示す図である。
【図６】（ａ），（ｂ）は本発明に係るケーブル、鞘管の懸架用管の第３実施形態の構成を示す図である。
【図７】（ａ），（ｂ）は本発明に係るケーブル、鞘管の懸架用管の第４実施形態の構成を示す図である。
【図８】（ａ），（ｂ）は本発明に係るケーブル、鞘管の懸架用管の第５実施形態の構成を示す図である。
【図９】（ａ），（ｂ）は本発明に係るケーブル、鞘管の懸架用管の第６実施形態の構成を示す図である。
【図１０】（ａ），（ｂ）は本発明に係るケーブル、鞘管の懸架用管の第７実施形態の構成を示す図である。
【図１１】（ａ）〜（ｃ）は本発明に係るケーブル、鞘管の懸架用管の第８実施形態の構成を示す図である。
【図１２】（ａ）〜（ｃ）は第８実施形態におけるケーブル、鞘管の懸架方法を示す図である。
【図１３】（ａ）〜（ｃ）は本発明に係るケーブル、鞘管の懸架用管の第９実施形態の構成を示す図である。
【図１４】（ａ）〜（ｃ）は第９実施形態におけるケーブル、鞘管の懸架方法を示す図である。
【図１５】従来例を説明する図である。
【図１６】従来例を説明する図である。
【符号の説明】
１…管
１ａ…管壁
１ｂ…ネジ溝
１ｃ…外壁面
１ｄ…凹部当接部
１ｅ…貫通穴
１ｆ…内壁面
１ｇ…テーパー面
２…フック
２ａ…係合部
２ｂ…収納部
２ｃ…爪部
２ｄ…溝部
２ｅ…回動軸
２ｆ，２ｇ…当接面
２ｈ…傾斜当接面
２ｉ，２ｊ…係止片
２ｋ…端面
３…インサート
３ａ，３ｂ…ネジ溝
３ｃ…突起
３ｄ…鍔部
３ｅ…貫通穴
３ｆ…片
３ｇ…テーパー面
３ｈ…鍔部
４…ケーブル、鞘管
５…補強部材
６…ボルト部材
７…外側インサート
７ａ…ネジ溝
７ｂ…突起
８…ゴムパッキン
９…ワッシャー
10…ねじりコイルバネ
【図１】
0003847947.tif 000002
【図２】
0003847947.tif 000003
【図３】
0003847947.tif 000004
【図４】
0003847947.tif 000005
【図５】
0003847947.tif 000006
【図６】
0003847947.tif 000007
【図７】
0003847947.tif 000008
【図８】
0003847947.tif 000009
【図９】
0003847947.tif 000010
【図１０】
0003847947.tif 000011
【図１１】
0003847947.tif 000012
【図１２】
0003847947.tif 000013
【図１３】
0003847947.tif 000014
【図１４】
0003847947.tif 000015
【図１５】
0003847947.tif 000016
【図１６】
0003847947.tif 000017